(57)【要約】被検者の視覚、認知および協応動作の能力を、被検者に様々な刺激を与えることにより、検査および／または訓練することができる。被検者から応答を受信することができ、この応答の的確性は被検者に与えた刺激との組み合わせに基づく。タッチスクリーン表示装置を使用して、被検者に対する刺激付与および応答受信の双方に使用することができる。応答を受信する任意の数およびタイプの出力装置および入力装置を使用することができる。挙動情報および被検者のパフォーマンスに関連する他のデータを記録することができる。スコアリング方法は、被検者のパフォーマンスの速度、正確性、および他の態様に基づくものとすることができる。
2010527642.tif 000002
【特許請求の範囲】
【請求項１】
目と手の協応動作を検査または訓練する方法において、タッチ感応式の表示装置を被検者の近傍に配置するステップと、少なくとも１個のマークを前記タッチ感応式の表示装置に表示する表示ステップであって、前記少なくとも１個のマークを前記タッチ感応式の表示装置で第１時刻、第１位置に表示する、該表示ステップと、前記タッチ感応式の表示装置上で被検者から少なくとも１個のタッチ入力を受信する入力受信ステップであって、前記少なくとも１個のタッチ入力を前記タッチ感応式の表示装置で第２時刻、第２位置に受信する、該入力受信ステップと、前記第１位置と前記第２位置との間における距離を決定するステップと、前記第１時刻と前記第２時刻との間における経過時間を決定するステップと、前記第１位置と前記第２位置との間における距離および前記第１時刻と前記第２時刻との間における経過時間をデジタル媒体上に記録するステップと、を有する方法。
【請求項２】
請求項１に記載の方法において、少なくとも一つの付加的被検者刺激を、前記タッチ感応式の表示装置に表示される前記少なくとも一つの視覚マークと関連付ける方法。
【請求項３】
請求項１に記載の方法において、さらに、少なくとも一つの付加的な被検者刺激を設定する刺激設定ステップであって、前記タッチ感応式の表示装置に表示される前記少なくとも一つのマークを被検者与えたとき、被検者は前記被検者刺激に関連付けたマークに応答を入力しないことを示す、該刺激設定ステップと、少なくとも一つの付加的被検者刺激を前記タッチ感応式の表示装置に表示された前記少なくとも一つの視覚マークと関連付けるステップと、前記タッチ感応式の表示装置に表示される前記少なくとも一つの視覚マークと関連する少なくとも一つの付加的な被検者刺激は、被検者が被検者刺激に関連付けたマークに対して応答入力を行うべきでないことを示すか否かを決定するステップと、前記タッチ感応式の表示装置に表示される前記マークと関連付けた任意の付加的被検者刺激をデジタル媒体に記録するステップと、を有する方法。
【請求項４】
請求項３に記載の方法において、前記少なくとも一つの付加的な被検者刺激は、前記タッチ感応式の表示装置に表示された前記マークの視覚特性を有するものとした、方法。
【請求項５】
視覚および認知能力を検査または訓練する方法において、被検者に対して表示装置に視覚刺激を表示するステップと、２次刺激を被検者に与えるステップと、前記視覚刺激に対して適切な応答を決定する適切応答決定ステップであって、適切な応答は視覚刺激および２次刺激の双方に基づくものとした、該適切応答決定ステップと、被検者から応答を受信するステップと、被検者から受信した応答が適切な応答であるか否かを決定するステップと、を有する方法。
【請求項６】
請求項５に記載の方法において、適切な応答を決定する前記適切応答決定ステップは、視覚刺激および生じ得る第１の２次刺激の組み合わせに対して応答するのが適切であり、視覚刺激および生じ得る第２の２次刺激の組み合わせに対して応答しないのが適切であることを決定するステップを有するものとした、方法。
【請求項７】
請求項６に記載の方法において、前記生じ得る第１の２次刺激は、前記視覚刺激の第１特性を備え、前記生じ得る第２の２次刺激は前記視覚刺激の第２特性を備えるものとした、方法。
【請求項８】
請求項６に記載の方法において、前記生じ得る第１の２次刺激は前記表示装置に表示される第１視覚マークとし、前記生じ得る第２の２次刺激は第２視覚マークとした、方法。
【請求項９】
請求項６に記載の方法において、前記生じ得る第１の２次刺激は第１聴覚刺激とし、前記生じ得る第２の２次刺激は第２聴覚刺激とした、方法。
【請求項１０】
請求項５に記載の方法において、さらに、被検者から安定性およびバランスの情報を受信するステップを有する方法。
【請求項１１】
請求項５に記載の方法において、さらに、被検者から応答を受信するステップは、表示装置上で使用者のタッチを受信するステップを有する、方法。
【請求項１２】
請求項５に記載の方法において、さらに、被検者から応答を受信するステップは、被検者から音声応答を受信するステップを有する、方法。
【請求項１３】
請求項５に記載の方法において、さらに、被検者から眼の動きの情報を受信するステップを有する方法。
【請求項１４】
請求項５に記載の方法において、さらに、被検者から頭部の動きの情報を受信するステップを有する方法。
【請求項１５】
請求項５に記載の方法において、さらに、被検者に視覚刺激を表示するステップは、被検者の片目によってのみ知覚できる視覚刺激を表示するステップを有する、方法。
【請求項１６】
請求項５に記載の方法において、さらに、被検者に視覚刺激を表示するステップは、行為映像の表現を表示するステップと、この行為映像の表現に視覚刺激を挿入するステップを有する、方法。
【請求項１７】
請求項５に記載の方法において、さらに、視覚刺激を表示するステップは、所定時間の期間にのみ視覚刺激を表示するステップを有する、方法。
【請求項１８】
視覚および認知納涼を検査または訓練するシステムにおいて、タッチ感応式の表示装置と、前記タッチ感応式の表示装置と通信接続した検査ユニットとを備え、前記検査ユニットは、第１位置で第１時刻に視覚刺激を前記タッチ感応式の表示装置に表示し、前記タッチ感応式の表示装置からタッチ入力を受信するよう動作し、前記タッチ入力は第２位置で第２時刻に生ずるものとした、システム。
【請求項１９】
請求項１８に記載の視覚および認知能力を検査または訓練するシステムにおいて、前記タッチ感応式の表示装置は、アーチ型のタッチ感応式表示装置とした、システム。
【請求項２０】
請求項１８に記載の視覚および認知能力を検査または訓練するシステムにおいて、前記タッチ感応式の表示装置は、部分的に球形のタッチ感応式表示装置とした、システム。
【請求項２１】
請求項１８に記載の視覚および認知能力を検査または訓練するシステムにおいて、さらに、前記タッチ感応式の表示装置に加えて、少なくとも一つの出力デバイスを備え、前記検査ユニットは、前記タッチ感応式の表示装置の他に、前記少なくとも一つの出力デバイスに対して、２次刺激を発生させるよう動作可能とした、システム。
【請求項２２】
請求項１８に記載の視覚および認知能力を検査または訓練するシステムにおいて、前記検査ユニットは前記表示される視覚刺激と前記２次刺激の双方に基づいて、適切な応答を決定する、システム。
【発明の詳細な説明】
【技術分野】
【０００１】
関連出願の相互参照
本出願は、２００７年４月１３日出願の米国特許仮出願第６０／９２３４３４号（タイトルは「シミュレーション動作中に視覚能力を検査するシステムおよび方法」）の優先権を主張するものであり、このことを本明細書に付記する。本出願は、また、２００７年６月４日出願の米国特許仮出願第６０／９４１９１５号（タイトルは「分離して視覚能力を検査するシステムおよび方法」）の優先権を主張するものであり、このことを本明細書に付記する。
【０００２】
本発明は、概して、視覚的認知機能および協応動作の検査および訓練に関する。より詳細には、本発明は、眼と手の協応動作および／または認知処理、および様々な刺激に対する応答を訓練および検査することに関する。
【背景技術】
【０００３】
視覚評価における当業者は、多数の視覚検査を被検者に実施して、個人の視覚能力における強い点と弱い点を決定することは既知である。
【発明の概要】
【発明が解決しようとする課題】
【０００４】
一般的に、そのような検査は、個人がいくつかの形態の視覚補正および／または訓練から有益であるか否か、また有益であるならば、視覚補正および／または訓練のタイプおよび等級が適切であるか否か、を決定するために行う。当業者は、さらに、いくつかの活動および特定の競技スポーツは、個人の視覚能力に対して特別な要望があることを理解しているだろう。
【課題を解決するための手段】
【０００５】
本発明によるシステムおよび方法は、様々な刺激を与えるステップと、被検者から応答を受信するステップとにより、被検者の視覚および／または認知能力を検査する。被検者に提示される刺激は、例えば、表示装置に表示される視覚刺激とすることができる。適切な表示装置の一例としては、タッチスクリーンなどのタッチ感応式の表示装置がある。このようなタッチスクリーンは、表示装置および入力装置の双方の機能を持つことができる。タッチスクリーン装置は、眼と手の協応動作、または手目協応動作とも称される能力を検査するのに特に役立つ。表示装置および入力デバイスの双方としてタッチスクリーンを使用することにより、本発明によるシステムおよび方法は、被検者の視覚刺激に対するタッチ応答の速度および／または鋭敏性の双方を正確に測定することができる。
【０００６】
本発明によるシステムおよび方法は、さらに、複数の刺激に対する被検者の応答能力を検査または訓練することができ、特に被検者が応答あるいは適切な応答を決定する認知処理を実行しなければならないときを検査する。例えば、第1視覚刺激に対する応答は、当該視覚刺激が第２刺激と対になっている時のみに有効とすることができる。第２刺激は、例えば、特定の音、特定の付加的視覚マーク、特定の触覚または任意な他のタイプの刺激とすることができる。第２刺激は、また、第１刺激が有する特徴を持ってもよく、例えば向き、表示装置における位置、色などである。本発明によるシステムおよび方法で使用するいくつかまたは全ての刺激は、被検者による認知処理を必要とすることができる。例えば、連続する数字を被検者に読ませることができ、または被検者が表示マークの向きを識別しなければならなく、または任煮な数の他の決断およびタスクを、被検者の応答の一部として被検者に要求する。
【０００７】
本発明によるシステムおよび方法は、さらに、パフォーマンスの的確性や速度などの評価指標の域を越えて被検者のパフォーマンスを評価する付加的データを記録することができる。例えば、被検者のバランスや、眼の動き、頭部の動き、他の運動を評価するデータまたは医学的／生物学的データを、検査および／または訓練の一部として記録することができる。
【０００８】
本発明によるシステムおよび方法は、さまざまな表示装置および表示技術を使用することができる。タッチ感応式の表示装置は、本発明による適切な表示装置の一例であると同時に、モニタや投影スクリーン、投影ゴーグル、ホログラムまたは他の表示装置など任意の表示装置を使用することができる。実行する視覚刺激のタイプもまた変化させることができる。例えば、表示装置は、検査／訓練を一人で行うように刺激を供給することができ、または、実施する刺激を、活動の映像シミュレーションに統合することができる。例えば、野球選手の打撃能力を改善するように設計した検査／訓練は、プレート方向にボールを投じるピッチャーを表示することができる。アーチ型スクリーンや、部分的に球面のスクリーン、複数スクリーンおよび／または表示ゴーグルなどのさまざまな表示装置は、被検者により没入できる体験を与えるためおよび／またはさまざまな視覚分野で被検者を検査／訓練するために役立つ。
本発明を、添付の図を参照して以下に詳細に記載する。
【図面の簡単な説明】
【０００９】
【図１】本発明によるシステムを示す。
【図２】本発明による他のシステムを示す。
【図３】本発明によるさらに他のシステムを図示する。
【図４】本発明による別のシステムを図示する。
【図５】本発明による表示装置を、被検者の片目を個別に使用状態を示す。
【図６】被検者の視覚の異なる視野を検査するための表示装置の使用状態を示す。
【図７】被検者の応答の的確性を決定するために用いるタッチスクリーンの一部を示す。
【図８】本発明を使用して被検者の応答速度を測定することを示す。
【図９】本発明による方法を示す。
【図１０】本発明による他の方法を示す。
【図１１】本発明によるさらに他の方法を示す。
【発明を実施するための形態】
【００１０】
図面につき説明すると、図１は本発明による検査／訓練システム１００を示す。当業者は、本明細書に記載したシステムおよび方法を検査および訓練の双方の目的に適用可能であることを理解できるであろう。システム１００を使用して、被検者１０２を検査／訓練することができる。表示装置１１０は、被検者１０２がこの表示装置１１０を見ることができるように配置する。１個の表示装置１１０を図１に示すが、複数個の表示装置を使用することができる。表示装置１１０をさらにタッチ感応式とし、これにより入力も受信できるようにする。表示装置１１０がタッチ感応式とする場合、被検者のリーチ範囲内で向きを決め、表示装置が被検者からのタッチ入力を受信できるようにする。タッチ感応式の表示装置１１０は、同時に１個以上の入力を受信することができる。タッチ感応式の表示装置は、タッチ感応能力のないモニタ、投影スクリーン、または任意な他のタイプの表示装置をタッチ感応レイヤに動作可能に接続し、このタッチ感応レイヤにより視覚刺激の表示およびタッチ入力受信の双方を可能にする。たとえば、タッチ感応能力がありかつほぼ透明なフィルムを、非タッチ感応式のモニタ上に貼着することができる。さらに他の例として、タッチ感応式のボードをプロジェクターに関連させて、タッチ感応式の表示装置として用いることができる。タッチ感応式の表示装置として使用するこれらおよび他の方法の可能性を、当業者は理解できるであろう。表示装置１１０は刺激、例えば第１視覚マーク１１２および第２視覚マーク１１４を付与することができる。図１に示すように、第１視覚マーク１１２は、本発明に使用する適切なマークの一例として、図示のようなランドルト環（Ｃマーク）とする。ランドルト環は視覚的に中立的な特性であり、左、右、上、下の向きを有する。しかし、当業者は任意な他のタイプの視覚マークを本発明において使用することができることを理解できるであろう。第２視覚マーク１１４は、本発明により使用できる他のマークの例である。図１に示すように、第２視覚マーク１１４はデジタル（２進値）文字列とすることができる。
【００１１】
さらに図１につき説明すると、システム１００は、第１音１２２を発生する第１オーディオスピーカと、第２音１３２を発生する第２オーディオスピーカ１３０とを有することができる。本発明によれば、聴覚刺激を使用することができる。例えば、本発明によるシステムおよび方法は、視覚および／または認知検査／訓練と関連して、雑音や他の音などの妨害による対抗的環境内で被検者に行わせる準備の一部として、音を使用することができる。さらに、音は被検者からの特定の応答を必要とする刺激として使用することができる。潜在的に、特定の刺激の組み合わせに対して所定の方法で被検者に応答させることができ、例えば特定の音と組み合わせたときのみに視覚刺激に応答する。複数のスピーカの使用は、図１に示す二つ以上であり、発生源の方向に基づいて音を変化させて、被検者を検査／訓練することが可能である。音をまた、本発明により、ペース設定をする目的で使用することができ、例えばメトロノームにより音を供給する。
【００１２】
さらに図１につき説明すると、安定プラットフォーム１４０を被検者の足下に配置することができる。安定プラットフォーム１４０は、被検者に他の刺激を与えるように動作することができ、例えば、様々な方向に傾くことにより被検者１０２に触覚フィードバックを与える。安定プラットフォーム１４はまた、被検者からの入力応答を受信するために使用することができ、例えば、被検者１０２が所定の刺激に対して所定方向に傾けることがある。安定プラットフォーム１４０は、被検者１０２の検査／訓練の間のバランスおよび方向を、被検者に刺激を与えることに付加してまたはその代わりとして、記録することができる。安定プラットフォーム１４０は、被検者に安定性に関する刺激を与えるおよび／または被検者から安定性に関する入力を受信する任意の装置とすることができる。例えば、安定プラットフォーム１４０は、１個またはそれ以上のプレートおよびセンサを使用し、被検者の体重移動を検出する。安定プラットフォーム１４０は、さらに他の例として、支点を中心に傾くバンランスボードとすることができる。当業者は、安定性に関する刺激を与えることができるおよび／または安定性に関する入力を受信できる任意のタイプの装置を安定プラットフォーム１４０として使用できることを理解できるであろう。
【００１３】
さらに図１につき説明すると、マイクロフォン１４０により、被検者１０２からの応答を受信することができる。マイクロフォン１４０を、例えば、被検者からの音声応答を受信するために音声認識ソフトウェアと併せて使用することができる。音声応答の例としては、表示装置１１０上に表示した一連の数字の識別、表示装置１１０上に表示したマークの向き、表示装置１１０上に表示したマークの色、マークを表示した表示装置１１０の領域、または任意な他のタイプの字句的情報がある。
【００１４】
さらに図１につき説明すると、システム１００は、頭部および／または眼球モニタ１７０を有することができる。頭部および／または眼球モニタ１７０は、検査／訓練中における被検者の頭部および／または眼球の運動を測定することができる。他の機器（図示せず）は、被検者の脳活動、血圧や、心拍数、他の生理学および／または医学データなどのデータを測定することができる。以下に限定するなものではいが、例えば、被検者の脳活動を入力デバイスとして使用することができ、脳活動をキャプチャするＥＥＧを用いることにより、被検者の視覚に関係する特定の脳活動を見るために使用することができる。
【００１５】
検査ユニット１８０は、システム１００内の様々な出力デバイスにより得る刺激と協応して、被検者の応答からのデータ、および任意の付加的データ、例えば被検者１０２から受信するバランス、眼の動き、頭部の動きのデータ、および生物学的／医学的データを収集し、また保存することができる。検査ユニット１８０は、さらに、被検者１０２の正確性、速度および他の能力基準の測定を行うスコアリング機能を有することができる。検査ユニット１８０は、さらに、検査プロセスを制御することができ、これにより、被検者に対する刺激の提示は、被検者１０２が検査／訓練を通じて成長するにつれて速度または難易度を増加させる。
【００１６】
被検者１０２は、さらに、モータ入力デバイス（図示せず）を用いて応答を行うことができる。モータ入力デバイスは、ジョイスティック、キーパッド、被検者から手動入力を受信可能な任意のデバイスとすることができ、被検者１０２による任意な他のタイプの物理的動作から入力を受信可能な任意のデバイスとすることができ、例えば足踏み動作のペダルまたはボタンとする。入力デバイス１５０として使用する適切なデバイスの例としては、キーボード、キーパッド、ボタン、ジョイスティック、スイッチ、ペダル、または被検者１０２から動作入力を受信可能な任意な他のデバイスがある。１個またはそれ以上のモータ入力デバイスを、タッチ感応能力を有する表示装置１１０に付加してまたはその代わりに使用することができる。
【００１７】
つぎに、図２につき説明すると、本発明による例示的な第２システム２００の一部を示す。システム２００は、被検者２０２を部分的な方向から囲むようなアーチ型の表示装置２１０を使用することができる。アーチ型の表示装置２１０は、第１マーク２１２および第２マーク２１４を表示することができる。システム２００は、さらに、図１に示したものなどの様々な付加的要素を設けることができる。アーチ型の表示装置２１０は、一つの平面表示装置を用いることでは容易に検査／訓練できない被検者１０２の視野部分を検査するために、被検者１０２により没入型の視覚経検を与えることと、全範囲にわたって手でタッチできる距離に一貫したスクリーンを与えることの双方に役立ち、したがって、検査および／または訓練結果を混乱させるモータによる変動性を低減することができる。
【００１８】
つぎに図３につき説明すると、本発明によるさらに他のシステム３００の一部を示す。システム３００は、被検者３０２を部分的に囲む部分球形表示装置３１０を使用する。部分球形表示装置３１０は、第１マーク３１２および第２マーク３１４を表示することができる。システム３００は、さらに、図１につき示したような、様々な付加的デバイスを設けることができる。部分球形表示装置３１０は、一つの平面表示装置を用いることでは検査が難しい被検者１０２の視野部分を検査するために、被検者１０２により没入型の視覚経検を与えることと、全範囲にわたって手でタッチできる距離に一貫したスクリーンを与えることの両方に役立ち、したがって、検査および／または訓練結果を混乱させるモータの変動性を低減することができる。
【００１９】
つぎに図４につき説明すると、表示ゴーグル４１０を用いるシステム４００の一部を示す。表示ゴーグル４１０は、より大きな表示装置を必要とせずに、被検者に視覚イメージを与えることができる。システム４００は被検者４０２から応答を受信可能な入力デバイス４５０を設けることができる。入力デバイス４５０を図１の入力装置ににつき説明した任意のデバイスとする、または代案としてマイクロフォン、バランスボードとすることができる。入力デバイス４５０は、例えば、モーション感知グローブ、被検者が着用する他のデバイスとし、ゴーグル４１０を用いて表示した視覚マークに対する応答を被検者の手の動きとして測定して、被検者４０２の目と手の協応動作を測定する。ゴーグル４１０は、頭部および眼球の運動モニタあるいは他の生物学的／医学的モニタに統合できることを理解されたい。
【００２０】
つぎに図５につき説明すると、被検者５０２が各眼を個別に使用する検査／訓練を行うシステム５００の一部を示す。表示装置５１０は、中心線５１１により左区域５１３と右区域５１５に分割し、これにより被検者５０２の左または右の眼を通してのみ知覚するように視覚刺激を与えることができる。中心線５１１で表示装置５１０を分割することは、任意の方法で達成できる。例えば、表示装置５１０は、ゴーグルまたは任意の他の波長フィルタ光学装置を設けることができ、所定の視覚刺激をゴーグルの片側に表示することができる。代替として、モニタなどの表示装置５１０を、被検者５０２の各眼の視野を表示装置５１０の一部のみに限定するように配置したスクリーンとともに使用することができ、すなわち、表示マークを判別するために使用するために使用する眼を、表示装置上のマークの位置によって決定することができる。他の技術、例えば波長フィルタゴーグルおよび表示装置５１０上に表示される適切に色付けしたマークを使用することにより、被検者５０２の左または右目をそれぞれ孤絶化することができ、このような場合には、中心線５１０における物理的分割手段は、もはや被検者の左および右目を孤絶化するのに必要がない。
【００２１】
図６につき説明すると、被検者（図示せず）の異なる視野を検査するシステム６００を示す。表示装置６１０は複数の区域を備えることができる。例えば、中央区域６１７は被検者の中央視野能力を検査するためにマーク６１４を表示することができる。その一方で、表示装置６１０の他の部分は、別のマーク６１２を表示することにより被検者の周辺視能力を検査することができる。表示装置６１０の同様な区域分割は、例えば、被検者の視野の異なる４分の１、左右に対する被検者の視覚能力、被検者の上下の視覚能力、または被検者の視野における他の位置を、検査／訓練することができる。特定の領域における被検者の視覚／認知能力を検査／訓練するシステム６００は、任意のタイプの表示装置と併せて使用することができる。
【００２２】
図７に付き説明すると、被検者の目と手の協応動作における応答の正確性を測定するシステム７００を示す。表示装置７１０の一部にはマーク７１２を表示することができる。マーク７１２は表示装置７１０の第１位置７１３を有し、図示の実施例では（ｘ１，ｙ１）として示す。被検者からの応答タッチ７１４は、例えば指７２１からであり、第２位置７１５で受信することができ、図示の実施例では（ｘ２，ｙ２）で示す。表示マーク７１２と応答タッチ７１４との間の距離７１７は、タッチスクリーン７１０上の各位置を使用することにより決定することができる。当業者であれば、マーク７１２および応答タッチ７１４の双方はタッチスクリーン７１０の特定の物理域を消費するにつれて、マーク７１２の位置７１３および応答タッチ７１４の位置７１５の双方は、離散ポイントではなく、実際には表示装置７１０の所定の領域を有するものとすることができ、またこのための距離計算が可能であることを理解できるであろう。
【００２３】
つぎに図８につき説明すると、マーク表示とタッチ応答受信との間に経過する時間の測定を示す。図８に示すように、時間経過はｘ軸に沿う。マークを、ｔ１で示す第１時刻８１０に表示装置（図示せず）に表示する。タッチ応答を、ｔ２で示す第２時刻８２０に受信する。第１時刻８１０と第２時刻８２０との間における経過時間８３０を、被検者の応答速度を測定するために使用することができる。
【００２４】
つぎに図９につき説明すると、被検者の目と手の協応動作を検査するためにタッチ感応式の表示装置を使用する本発明による方法９００を示す。ステップ９１０において、タッチ感応式の表示装置を被検者のリーチ範囲内に配置する。ステップ９２０において、マークをタッチ感応式の表示装置に表示し、第１時刻に開始し、また第１位置でこの表示を行う。ステップ９３０において、被検者からタッチ入力をタッチ感応式の表示装置において第２時刻に第２位置で受信する。ステップ９４０において、第１時刻（マークを最初に表示するとき）から第２時刻（応答を受信するとき）までの経過時間を決定することができる。ステップ９５０において、第１位置（マークを表示する位置）と第２位置（タッチ応答を受信する位置）との間における距離を決定する。ステップ９６０において、第１時刻と第２時刻との間における経過時間および第１位置と第２位置との間における距離を、例えば検査ユニット内のデジタル媒体に記録する。ステップ９７０において、経過時間および距離に基づくスコアを計算する。スコアを計算するステップ９７０は、単純な経過時間および距離以外の様々な情報を考慮することができ、被検者のバランス能力、頭部および／または目の動き、被検者の視野の異なる区域の検査、生物学的／医学的データおよび他の基準などを考慮に入れる。
【００２５】
つぎに図１０につき説明すると、被検者の目と手の協応動作および／または認知機能を検査する他の方法１０００を示す。ステップ１０１０において、タッチ感応式の表示装置を被検者のリーチ範囲内に配置する。ステップ１０２０において、マークなどの視覚刺激を、タッチ感応式の表示装置において、第１時刻で第１場所に表示を開始する。ステップ１０３０において、２次刺激を、表示された視覚刺激に関連付け、マークに対する適切な応答を示す。ステップ１０３０を、ステップ１０２０と同時に、またはステップ１０２０の後に、またはステップ１０２０の前に実行することができる。ステップ１０３０と２次刺激の関連付けは、例えば、方向、色、種類、形状、値などの被検者から応答を必要とする特定の特徴を有するマークを供給するステップを備えるものとする。ステップ１０３０における視覚刺激に関連付ける、生じ得る２次刺激は、任意の数の２次刺激があり、また生じ得る、異なる刺激により異なる適切な応答を生ずることができる。例えば、第１に生じ得る２次刺激が与えられる場合、適切な応答は表示された視覚刺激にタッチすることであり、しかし、第２に生じ得る２次刺激が与えられる場合、適切な応答は表示された視覚刺激を無視するものとすることができる。生じ得る２次刺激は、例えば、任意の音、触覚、表示マーク自身の特徴（方向、特徴、色、視覚パターン、点滅、表示装置上の移動など）、他の表示マーク、および被検者が判別可能な任意の他のマークとすることができる。ステップ１０４０において、入力を受信する。ステップ１０４０において受信する入力がタッチ入力である場合、タッチ入力を第２時刻に第２位置で受信する。ステップ１０５０において、視覚刺激を表示してからおよび／またはマークに関連する他の刺激から、入力を受信する第２時刻までの経過時間を決定することができる。ステップ１０６０において、第１位置と第２位置との間の距離を決定することができる。ステップ１０７０において、マークおよび関連する付加的刺激に対する応答が適切か否かを決定する。例えば適切な応答としては、表示された視覚刺激にタッチする、または表示された視覚刺激を無視する、または表示された視覚刺激に音声応答する（例えば刺激の特徴を識別して復唱する）、またはモータ入力デバイスにより応答することがある。ステップ１０８０において、経過時間、距離、応答が適切であったか否かを、デジタル媒体上に記録する。ステップ１０９０において、経過時間、距離、応答が適切であったか否かに基づいてスコアを計算することができる。当業者であれば、ステップ１０９０において計算するスコアは、経過時間、距離、応答の的確性だけでない他の情報、例えば被検者のバランス情報、頭部および／または目の動き、生物学的／医学的データまたは被検者から収集できる他の情報に基づくものにできることを、理解できるであろう。
【００２６】
つぎに図１１につき説明すると、被検者の視覚および認知能力を検査／訓練する他の方法１１００を示す。ステップ１１１０において、視覚刺激を表示する。ステップ１１１０は、アニメーション化した、またはコンピュータ支援アニメーション化した、記録した、またはライブアクションを表す映像表示の一部として、視覚刺激に挿入する。例えば、スポーツに参加している状況を表す映像を使用することができ、また随意的にスポーツに適切なマークを使用することができる。例えば、ホームプレート方向にボールを投げるピッチャーを表示する映像を使用することができ、投げられた球種を示すマークを、ボール、ピッチャーの腕および／または手の上に挿入する。ステップ１１２０で与える第２刺激は、付加的視覚刺激、例えば視覚マーク、音、触覚感知、または任意な他のタイプの刺激とする。ステップ１１３０において、第２刺激と組み合わせる視覚刺激に対する適切な応答を決定する。例えば、視覚刺激がランドルト環などのマークであり、第２刺激がランドルト環の向きである場合、ステップ１１３０において決定する適切な応答を、ランドルト環の向きに対応する入力装置のジョイスティックの運動とすることができる。他の適切な応答としては、ほとんど無制限にあり、例えば表示した２進値文字列の復唱、タッチ感応式表示装置へのタッチ、ボタンおよびフットペダルの押し下げ、または任意の数とした他の応答がある。ステップ１１４０において、被検者から応答を受信する、ステップ１１４０において受信する応答は適切であってもなくてもよいことに留意されたい。ステップ１１５０において、受信した応答が適切な応答であったか否かを決定する。ステップ１１６０において、挙動情報を受信する。挙動情報としては、被検者のバランス能力やパフォーマンス、頭部および眼の動き、血圧、心拍数、発汗量、または任意な他の情報がある。
【００２７】
本明細書に記載したシステムおよび方法を、様々な視覚、認知および協応スキルを検査および／または訓練するために使用することができる。表示装置のタイプおよび被検者に刺激を与えるために使用する出力デバイスは、本明細書に記載したものに限定するものではなく、むしろ被検者に刺激を供給可能な任意のタイプのデバイスを使用することができる。本明細書に記載したシステムおよび方法を、さらに任意な特定のスコアリングアルゴリズムまたは基準に限定するものではなく、スコアリングアルゴリズムおよび基準は、異なる被検者に対してまたは各被検者のスキルの成長度により調整することができる。同様に被検者に与える刺激および被検者から受信する応答の数および種類は本明細書に記載したものに限定するものではなく、複数のタイプの刺激および複数のタイプの応答を、任意の個人の検査／訓練のセッションで与え、また受信することができる。
【図１】
2010527642.tif 000003
【図２】
2010527642.tif 000004
【図３】
2010527642.tif 000005
【図４】
2010527642.tif 000006
【図５】
2010527642.tif 000007
【図６】
2010527642.tif 000008
【図７】
2010527642.tif 000009
【図８】
2010527642.tif 000010
【図９】
2010527642.tif 000011
【図１０】
2010527642.tif 000012
【図１１】
2010527642.tif 000013
【国際調査報告】
2010527642.tif 000014